(57)【要約】【課題】１平方メートル以上もの大形フラットスクリーンを製作を、１メートル以上もの距離に沿ってミクロンの範囲の許容誤差の作業を再現性と大きな信頼性をもって行うことを可能にする装置を達成することである。【解決手段】テレビなど用いる大形フラットスクリーン（１平方メートル以上）を製作する装置である。この装置は、スクリーンを配置するための作業テーブルおよび画素を定める行と列のマトリックスを作るための作業回転テーブルが取り付けられ独立に摺動できる固定台を備え、固定台と作業テーブルは非常に安定な分子構造と非常に低い熱膨張係数を有する石、好ましいのは黒アフリカ花崗岩、でできている。セリグラフィー技術を用いて、平方ミリメートルにつき１，５００ピクセル以上の範囲の高解像度を有するマトリックスを達成することが可能である。【選択図】図１
2004163880.tif 000002
【特許請求の範囲】
【請求項１】
作業手段（３０、４０）が摺動可能に取り付けられる固定台（１１）を備え、少なくとも前記固定台（１１）が石でできていることを特徴とする大形フラットスクリーンを製作する装置。
【請求項２】
少なくとも前記固定台（１１）は、花崗岩でできていることを特徴とする請求項１に記載の装置。
【請求項３】
前記石は、約６−７μ／ｍ・℃の範囲にある熱体積膨張係数を有することを特徴とする請求項１または２に記載の装置。
【請求項４】
前記固定台（１１）は、箱状構造体を形成するように互いに結合された複数の垂直板（１３ａ、１３ｂ、１３ｃ）および複数の水平板（１２、１６ａ、１６ｂ、１７）を備えることを特徴とする請求項１乃至３のいずれか一つに記載の装置。
【請求項５】
前記箱状構造体は、石でできているが、類似の金属構造体のものと事実上同等の重量を有することを特徴とする請求項４に記載の装置。
【請求項６】
前記垂直板（１３ａ、１３ｂ、１３ｃ）および前記水平板（１２、１６ａ、１６ｂ、１７）は、約３ｃｍと５ｃｍの間で可変の厚さを有することを特徴とする請求項４に記載の装置。
【請求項７】
前記垂直板は、中心垂直板（１３ｃ）より高く、二つの側方支柱（１５ａ、１５ｂ）を形成する側方垂直板（１３ａ、１３ｂ）を備えることを特徴とする請求項４に記載の装置。
【請求項８】
少なくとも一つの接合要素（１８）が前記垂直板（１３ａ、１３ｂおよび１３ｃ）を通して水平に配置されて、それらに取り付けられていることを特徴とする請求項４に記載の装置。
【請求項９】
前記水平板のうちの一つ（１７）の表面上で前記支柱（１５ａ、１５ｂ）の間に、平行六面体状に形づくられた花崗岩（２５、２６）の二つのブロックが載せられて結合され、前記花崗岩（２５、２６）のブロックは、ラップ仕上げされて前記作業手段（３０、４０）に対する支持体として働くことができる上面を有することを特徴とする請求項支持体に記載の装置。
【請求項１０】
空気圧手段（３２、４２）が前記作業手段（３０、４０）を前記固定台（１１）に対して動かすことができるようにするために設けられていることを特徴とする請求項１乃至９のいずれか一つに記載の装置。
【請求項１１】
リニアモータ（３３、４３）が前記固定台（１１）に対して前記作業手段（３０、４０）を移動させるために設けられていることを特徴とする請求項１乃至１０のいずれか一つに記載の装置。
【請求項１２】
前記作業手段は作業テーブル（３０）と作業回転テーブル（４０）を備え、前記作業テーブル（３０）は、固定台（１１）が作られるのと同じ種類の材料でできていることを特徴とする請求項１乃至１１のいずれか一つに記載の装置。
【請求項１３】
前記作業テーブル（３０）は、製作される予定のスクリーンを置くことができるラップ仕上げされた支持平面（３１）を有することを特徴とする請求項１２に記載の装置。
【請求項１４】
前記作業回転テーブル（４０）は、セリグラフィー・アセンブリ（４５）を備えることを特徴とする請求項１２に記載の装置。
【発明の詳細な説明】
【０００１】
【発明の属する技術分野】
本発明はテレビまたは類似のものに用いる大形フラットスクリーン（１平方メートル以上）を製作する装置に関し、特に薄膜トランジスタ（ＴＦＴ）技術、プラズマディスプレイパネル（ＰＤＰ）技術またはその他の類似した技術によって液晶デバイスで作られるフラットスクリーンに関する。製作という言葉によって、我々は構造そのものと既製品の管理の両方を意味する。
【０００２】
本発明による装置は、スクリーンを配置するための作業テーブルおよび画素を定める行と列のマトリックスを作るための作業回転テーブルが取り付けられて独立に摺動できる固定台を備えている。
【０００３】
固定台と作業テーブルは非常に安定な分子構造と非常に低い熱膨張係数を有する石、好ましいのは黒アフリカ花崗岩、でできている。
【０００４】
【従来の技術】
大形フラットスクリーンを例えばＴＦＴまたはＰＤＰ技術で製作する装置は、製作されるスクリーンのものより大きな表面をもった水平支持平面を有する作業テーブルを備えていなければならないことは公知である。作業テーブルは、固定台に対して少なくとも第１の水平軸（Ｘ）に沿って動くことができなければならず、固定台は、必然的に作業テーブルより非常に大きくなければならない。そのような固定台上に、作業回転テーブルも取り付けられて、やはり前記第１の水平軸（Ｘ）に沿って摺動可能で、作業回転テーブル上には第１の軸（Ｘ）に対して直角な第２の水平軸（Ｙ）に沿ってに可動であるセリグラフィー・アセンブリが取り付けられる。
【０００５】
また、ＴＦＴ技術を採用するスクリーンがイメージを形成する画素を決める交差点を有する行と列の非常に太い標線から成るということも公知である。高解像度画像を得るために、行間の距離と隣接した列の間の距離の両方が、そのようなスクリーンの製作においては各々が１メートルより長い異なる行と列の間の平行度を高く保つことが必要なので、約２５マイクロメートルの範囲内にある。
【０００６】
周知の装置は金属構造体からなり、複数の金属要素を溶接でつなぎ合わせて作られた台と作業テーブルの両方を備えている。これは、そのような構造体を主に温度の変化よってあまり安定でない、変形と伸縮を受け易いものにするので、事実、現状の技術では、設計仕様を満たす大形フラットスクリーンを得ることは、非常に問題を含んでいて不確実である。実際に、品質管理で受け入れられる大形フラットスクリーンの割合は、今日、約３０％で、結果として極めて多数の製品を廃棄することになるので、まさに非常に高い不良率のために、製品のコストが今日非常に高い。
【０００７】
出願人はこれらの欠点を克服し、その他の利点を得るために、本発明に従って、テレビおよび類似のものに用いる大形フラットスクリーンを製作するための装置を考案し具体化した。
【０００８】
本発明の大形のフラットスクリーンを製作する装置は主請求項に記載されて、特徴づけられ、一方、従属請求項は本発明の他の革新的な特徴を記載している。
【０００９】
【発明が解決しようとする課題】
本発明の一つの目的は、１平方メートル以上もの大形フラットスクリーンを製作することで、製作したスクリーンの不良率を最低限に減らし、従って完成品のコストをかなり減らすために、１メートル以上もの距離に沿ってミクロンの範囲の許容誤差の作業を再現性と大きな信頼性をもって行うことを可能にする装置を達成することである。これは、大形フラットスクリーンを適切に作る装置及び製作済みのスクリーンを測定および／または管理する装置の両方に適用することを意図するものである。
【００１０】
【課題を解決するための手段】
この目的に従って、作業手段が摺動可能に載置されている固定台を備える本発明による装置は、少なくとも固定台が石、好ましいのは花崗岩（例えば、非常に安定な分子構造と６―７μ／ｍ・℃の範囲内にある非常に低い熱体積膨張係数を有するとして知られている黒アフリカ花崗岩）、でできているということをその特有な特徴としている。
【００１１】
さらに、固定台の重量を減らすために、単一のブロックの形である代わりに、それは、比較的軽いボックス状構造体、すなわち、周知の装置の金属構造体に重量が同等なものを形成するためにつなぎ合わされる複数の垂直および水平板を用いて作られる。事実、本発明による固定台の箱状構造を構成する個々の石板が従来技術において通常用いられる金属シートの厚さより２〜３倍大きい厚さを持っていても、これは石の比重（鉄または鋼の比重の１／３未満）によって補われる。
【００１２】
これは、事実上どんなありうる温度差によっても影響を受けない非常に安定な台を得ることを都合よく可能にする。好ましい形の実施態様によれば、作業手段は、固定台に対して独立に可動な少なくとも作業テーブルと作業回転テーブルを備えている。
【００１３】
作業テーブルはまた、固定台が作られるのと同じ種類の材料でできているのが好ましい。
【００１４】
作業テーブルと作業回転テーブルが固定台に対して正確に摺動することができるようにするために、周知の種類の空気圧手段が可動部品と台そのものの間に空気クッションを選択的に作るために設けられる。例えば、空気圧手段は、１９９８年２月１８日に本出願人に付与されたイタリア特許ＩＴ―Ｂ―１，２８１，４３２に記載されている種類のものであってよい。また、固定台に対する作業テーブルの動きと作業回転テーブルの動きの両方は、また周知の種類、例えば、２００１年１２月１４日に本出願人によって出願された特許出願ＵＤ２００１Ａ０００２０８及びＵＤ２００１Ａ０００２０９に記載された型のリニア電動機によって得られる。
【００１５】
【発明の実施の形態】
図１を参照すると、本発明による大形フラットスクリーンを製作する装置１０が約４ｍの長さ、約２．５ｍの幅及び約１ｍの高さを有する固定台１１を備えている。
【００１６】
固定台１１（図２と３）は、いくつかは水平にそしてその他は垂直に配列され、箱状構造体を形成するために、接着剤または周知の種類の機械的取付け要素（例えば、ねじまたはボルト）によって互いにつながれた複数の花崗岩板（例えば黒アフリカ花崗岩）でできている。
【００１７】
より正確に言えば、固定台１１は、約３ｃｍと５ｃｍの間で変化する厚さの複数の垂直板１３ａ、１３ｂ、１３ｃが上に載せられて、結合されている下側の板１２（約５ｃｍの厚さ）を備えている。より正確には、側方垂直板１３ａと１３ｂは、中心垂直板１３ｃより高くて、二つの側方支柱１５ａと１５ｂを形成する。側方垂直板１３ａと１３ｂには、それぞれ２枚の水平板１６ａと１６ｂ（約５ｃｍ厚さ）が取り付けられ、一方、中心垂直板１３ｃには、単一の水平板１７（約４ｃｍ厚さ）が取付けられている。２本の管状金属要素１８が垂直板１３ａ、１３ｂおよび１３ｃに作られた嵌合孔を通して水平に配置され、固定台１１全体または装置１０全体を上げて、動かして運ぶために使用される要素にするために後者に取り付けられている。
【００１８】
貫通穴１９が管状要素１８に対応して垂直板１３ａと１３ｂに作られている。下側板１２の下には、６本の支持足２１が配置され、それぞれが高さの微小調節のための装置２２を備えている。各装置２２は、任意の周知の種類のものであってよく、したがって、ここでは詳述しない。
【００１９】
水平板１７の上に、そして、支柱１５ａと１５ｂから等距離に、平行六面体状に形づくられた花崗岩の二つのブロック２５と２６が取り付けられている。水平板１７の中央に、花崗岩の第３のブロック２７が二つのブロック２５と２６に平行に取り付けられている。
【００２０】
ブロック２５と２６および水平板１６ａとｌ６ｂの上面は、ピカピカにラップ仕上げされて、それぞれ作業テーブル３０および作業回転テーブル４０のための水平支持平面となっている。
【００２１】
作業テーブル３０は、また、花崗岩でできているのが好ましく、単一の加工で形成されたブロックとして作ることができるか、またはそれはボックス状構造体の形式のもので、固定台１１について見られるように、つなぎ合わされた複数の水平および垂直板によって作ることができる。
【００２２】
作業テーブル３０は、製作されるスクリーンを置くことができる完全に水平で滑らかな支持平面３１を備えている。
【００２３】
水平軸Ｘに関する作業テーブル３０の動きは、周知の形式の複数の空気圧装置３２の総合作用によって得られ、空気圧装置３２は、ブロック２５と２６の上面と作業テーブル３０の間の空気クッションおよび中心ブロック２７に配列されたやはり周知の形式のリニアーモータ３３の空気クッションをつくる。
、作業回転テーブル４０もまた、周知の形式の複数の空気圧装置４２の総合作用のために水平軸Ｘに沿って可動であり、空気圧装置４２は、支柱１５ａと１５ｂの上面と作業テーブル４０の間の空気クッションおよびやはり周知の形式のリニアーモータ４３の空気クッションをつくる。
【００２４】
作業回転テーブル４０には、周知の形式の例えば１９９９年４月２日に本出願人によって出願された特許出願ＵＤ９９Ａ００００７３に記載されている形式のセリグラフィー・アセンブリ４５が取り付けられている（図４）。セリグラフィー・アセンブリ４５は、水平軸Ｘに沿ってとともにＸ軸に対して垂直な水平軸Ｙに沿っての両方に可動である。
【００２５】
【発明の効果】
このように、セリグラフィー技術を用いて、１平方ミリメートルにつき１，５００画素以上の範囲の高解像度を有するマトリックスを達成することが可能である。
【００２６】
これまで説明したような大形フラットスクリーンを製作するための装置１０に改造および部品の追加を本発明の分野と範囲から逸脱することなく行えることは明らかである。例えば、本願明細書に述べられた革新的な概念は、製作装置そのものにだけでなく、同じ大形フラットスクリーンを測定または管理する装置にも等しく適用できる。
【００２７】
本発明を特定の例に関して説明したが、当業者が大形フラットスクリーンを製作するための装置でその全てが本発明の範囲の中に入る多くの他の等価な形態を達成することが確かに可能であろうこともまた、明白である。
【図面の簡単な説明】
【図１】本発明による大形フラットスクリーンを製作する装置の正面図である。
【図２】図１の装置の固定台の拡大部分断面正面図である。
【図３】図２のＩＩＩからＩＩＩへの線に沿った図である。
【図４】図１の装置の縮尺側面図である。
【符号の説明】
１１              固定台
１２              下側板
１３ａ、ｂ、ｃ    垂直板
１５ａ、ｂ        側方支柱
１７              単一水平板
１８              管状金属板
２２              微小高さ調節装置
２５、２６、２７  花崗岩ブロック
３０              作業テーブル
３２              支持平面
３３              リニアモータ
４０              作業回転テーブル
４２              空気圧装置
４５              セリグラフィー・アセンブリ
【図１】
2004163880.tif 000003
【図２】
2004163880.tif 000004
【図３】
2004163880.tif 000005
【図４】
2004163880.tif 000006
【外国語明細書】
2004163880.tif 000007
2004163880.tif 000008
2004163880.tif 000009
2004163880.tif 000010
2004163880.tif 000011
2004163880.tif 000012
2004163880.tif 000013
2004163880.tif 000014
2004163880.tif 000015
2004163880.tif 000016
2004163880.tif 000017
2004163880.tif 000018
2004163880.tif 000019
2004163880.tif 000020
2004163880.tif 000021
2004163880.tif 000022
2004163880.tif 000023
2004163880.tif 000024
2004163880.tif 000025
2004163880.tif 000026
2004163880.tif 000027
2004163880.tif 000028
2004163880.tif 000029
2004163880.tif 000030
2004163880.tif 000031
2004163880.tif 000032